【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
方法であって、前記方法は、
メディアアセットの組の複数のインスタンスを録画するためにスケジュールするための
ユーザコマンドを受信することと、
前記メディアアセットの組のためのスケジュールされた録画のリストを生成することと
、
前記メディアアセットの組のための競技規則を決定することと、
前記複数のインスタンスのうちの少なくとも１つのインスタンスのための競技結果を決
定することと、
前記少なくとも１つのインスタンスの参加者のランクを推定することと、
前記推定ランクに基づいて、前記メディアアセットの組のための前記スケジュールされ
た録画のリストを修正することと
を含む、方法。
【請求項２】
前記メディアアセットの組についての詳細な情報を読み出すことであって、前記競技規則を決定することは、前記詳細な情報に基づいて、前記競技規則を決定することを含む、ことと、
前記詳細な情報に基づいて、前記競技規則の入力の組を決定することと、
前記複数のインスタンスのうちの前記少なくとも１つのインスタンスについての結果情報を読み出すことであって、前記競技結果を決定することは、前記結果情報から前記複数のインスタンスのうちの前記少なくとも１つのインスタンスのための前記競技結果を決定することを含む、ことと、
前記競技結果を前記競技規則の前記入力の組に適用し、前記少なくとも１つのインスタ
ンスの参加者のランクを推定することと、
前記推定ランクが閾値を超えるかどうかを決定することと
をさらに含み、
前記推定ランクに基づいて、前記スケジュールされた録画のリストを修正することは、前記推定ランクが前記閾値を超えるかどうかを決定することに基づいて、前記メディアアセットの組のための前記スケジュールされた録画のリストを修正することを含む、請求項１に記載の方法。
【請求項３】
前記メディアアセットの組は、１日以内に放送される、請求項１および２のいずれかに記載の方法。
【請求項４】
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加することをさらに含み、
前記スケジュールされた録画のリストを修正することは、前記推定ランクが閾値を超えないことを決定することに基づいて、前記メディアアセットの組の前記複数のインスタンスのうちのその後のインスタンスを除去することをさらに含む、請求項１に記載の方法。
【請求項５】
前記スケジュールされた録画のリストを修正することは、前記推定ランクが閾値を超えることを決定することに基づいて、前記メディアアセットの組のその後のインスタンスを前記スケジュールされた録画のリストに追加することをさらに含む、請求項１に記載の方法。
【請求項６】
前記競技規則は、決定論的規則を備え、前記競技結果を適用し、前記ランクを推定する
ことは、前記参加者の前記ランクの変化を決定することをさらに含む、請求項２に記載の方法。
【請求項７】
前記参加者の前記ランクの変化を決定することは、前記参加者が第２の閾値を超える数
の試合に負けたことを決定することをさらに含み、
前記方法は、前記推定ランクが前記閾値を超えないことを決定することをさらに含む、
請求項６に記載の方法。
【請求項８】
前記参加者の前記ランクの変化を決定することは、前記参加者が予期される試合の総数
の少なくとも半分を超える数の試合に勝ったことを決定することをさらに含み、
前記方法は、前記推定ランクが前記閾値を超えることを決定することをさらに含む、請
求項６に記載の方法。
【請求項９】
前記参加者の前記ランクの減少が第２の閾値を下回ることを決定することと、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定することと
をさらに含む、請求項６に記載の方法。
【請求項１０】
前記競技規則は、確率的規則を備え、前記競技結果を適用し、前記ランクを推定するこ
とは、前記参加者の前記ランクの変化の可能性を決定することをさらに含む、請求項２に記載の方法。
【請求項１１】
前記可能性を決定することは、前記参加者の前記ランクの減少の可能性を決定すること
をさらに含み、
前記方法は、前記スケジュールされた録画のリストを修正することに先立って、ユーザ
が前記スケジュールされた録画のリストからの前記メディアアセットの組のその後のイン
スタンスの除去を確認することを要求するプロンプトを表示のために生成することをさら
に含む、請求項１０に記載の方法。
【請求項１２】
請求項１〜１１のいずれかに記載の方法を行うように構成された制御回路を備える、システム。
【手続補正２】
【補正対象書類名】明細書
【補正対象項目名】００２３
【補正方法】変更
【補正の内容】
【００２３】
上で説明されるシステム、方法、装置、および／または側面は、本開示に説明される他
のシステム、方法、装置、および／または側面に従って適用されるか、もしくは使用され
得ることを理解されたい。
本願明細書は、例えば、以下の項目も提供する。
（項目１）
方法であって、前記方法は、
メディアアセットの組の複数のインスタンスを録画するためにスケジュールするための
ユーザコマンドを受信することと、
前記メディアアセットの組のためのスケジュールされた録画のリストを生成することと
、
前記メディアアセットの組のための競技規則を決定することと、
前記複数のインスタンスのうちの少なくとも１つのインスタンスのための競技結果を決
定することと、
前記少なくとも１つのインスタンスの参加者のランクを推定することと、
前記推定ランクに基づいて、前記メディアアセットの組のための前記スケジュールされ
た録画のリストを修正することと
を含む、方法。
（項目２）
方法であって、前記方法は、
メディアアセットの組の複数のインスタンスを録画するためにスケジュールするための
ユーザコマンドを受信することと、
前記メディアアセットの組についての詳細な情報を読み出すことと、
前記メディアアセットの組のためのスケジュールされた録画のリストを生成することと
、
前記詳細な情報に基づいて、競技規則および前記競技規則の入力の組を決定することと
、
前記複数のインスタンスのうちの少なくとも１つのインスタンスについての結果情報を
読み出すことと、
前記結果情報から競技結果を決定することと、
前記競技結果を前記競技規則の前記入力の組に適用し、前記少なくとも１つのインスタ
ンスの参加者のランクを推定することと、
前記推定ランクが閾値を超えるかどうかを決定することと、
前記推定ランクが前記閾値を超えるかどうかを決定することに基づいて、前記メディア
アセットの組のための前記スケジュールされた録画のリストを修正することと
を含む、方法。
（項目３）
前記メディアアセットの組は、１日以内に放送される、項目２に記載の方法。
（項目４）
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加することをさらに含み、
前記スケジュールされた録画のリストを修正することは、前記推定ランクが前記閾値を
超えないことを決定することに基づいて、前記メディアアセットの組の前記複数のインス
タンスのうちのその後のインスタンスを除去することをさらに含む、項目２に記載の方法。
（項目５）
前記スケジュールされた録画のリストを修正することは、前記推定ランクが前記閾値を
超えることを決定することに基づいて、前記メディアアセットの組のその後のインスタン
スを前記スケジュールされた録画のリストに追加することをさらに含む、項目２に記載の方法。
（項目６）
前記競技規則は、決定論的規則を備え、前記競技結果を適用し、前記ランクを推定する
ことは、前記参加者の前記ランクの変化を決定することをさらに含む、項目２に記載の方法。
（項目７）
前記参加者の前記ランクの変化を決定することは、前記参加者が第２の閾値を超える数
の試合に負けたことを決定することをさらに含み、
前記方法は、前記推定ランクが前記閾値を超えないことを決定することをさらに含む、
項目６に記載の方法。
（項目８）
前記参加者の前記ランクの変化を決定することは、前記参加者が予期される試合の総数
の少なくとも半分を超える数の試合に勝ったことを決定することをさらに含み、
前記方法は、前記推定ランクが前記閾値を超えることを決定することをさらに含む、項目６に記載の方法。
（項目９）
前記参加者の前記ランクの減少が第２の閾値を下回ることを決定することと、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定することと
をさらに含む、項目６に記載の方法。
（項目１０）
前記競技規則は、確率的規則を備え、前記競技結果を適用し、前記ランクを推定するこ
とは、前記参加者の前記ランクの変化の可能性を決定することをさらに含む、項目２に記載の方法。
（項目１１）
前記可能性を決定することは、前記参加者の前記ランクの減少の可能性を決定すること
をさらに含み、
前記方法は、前記スケジュールされた録画のリストを修正することに先立って、ユーザ
が前記スケジュールされた録画のリストからの前記メディアアセットの組のその後のイン
スタンスの除去を確認することを要求するプロンプトを表示のために生成することをさら
に含む、項目１０に記載の方法。
（項目１２）
システムであって、前記システムは、
ユーザ入力インターフェースと、
制御回路と
を備え、
前記制御回路は、
ユーザ入力インターフェースからメディアアセットの組の複数のインスタンスを録画す
るためにスケジュールするためのユーザコマンドを受信することと、
データベースから前記メディアアセットの組についての詳細な情報を読み出すことと、
前記メディアアセットの組のためのスケジュールされた録画のリストを生成することと
、
前記詳細な情報に基づいて、競技規則および前記競技規則の入力の組を決定することと
、
前記複数のインスタンスのうちの少なくとも１つのインスタンスについての結果情報を
読み出すことと、
前記結果情報から競技結果を決定することと、
前記競技結果を前記競技規則の前記入力の組に適用し、前記少なくとも１つのインスタ
ンスの参加者のランクを推定することと、
前記推定ランクが閾値を超えるかどうかを決定することと、
前記推定ランクが前記閾値を超えるかどうかを決定することに基づいて、前記メディア
アセットの組のための前記スケジュールされた録画のリストを修正することと
を行うように構成されている、システム。
（項目１３）
前記メディアアセットの組は、１日以内に放送される、項目１２に記載のシステム。
（項目１４）
前記制御回路は、
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加することと、
前記推定ランクが前記閾値を超えないことを決定することに基づいて、前記メディアア
セットの組の前記複数のインスタンスのうちのその後のインスタンスを除去することによ
って、前記スケジュールされた録画のリストを修正することと
を行うようにさらに構成されている、項目１２に記載のシステム。
（項目１５）
前記制御回路は、前記推定ランクが前記閾値を超えることを決定することに基づいて、
前記メディアアセットの組のその後のインスタンスを前記スケジュールされた録画のリス
トに追加することによって、前記スケジュールされた録画のリストを修正するようにさら
に構成されている、項目１２に記載のシステム。
（項目１６）
前記競技規則は、決定論的規則を備え、制御回路は、前記競技結果を適用し、前記参加
者の前記ランクの変化を決定することによって前記ランクを推定するようにさらに構成さ
れている、項目１２に記載のシステム。
（項目１７）
前記制御回路は、
前記参加者が第２の閾値を超える数の試合に負けたことを決定することによって、前記
参加者の前記ランクの変化を決定することと、
前記推定ランクが前記閾値を超えないことを決定することと
を行うようにさらに構成されている、項目１６に記載のシステム。
（項目１８）
前記制御回路は、
前記参加者が予期される試合の総数の少なくとも半分を超える数の試合に勝ったことを
決定することによって、前記参加者の前記ランクの変化を決定することと、
前記推定ランクが前記閾値を超えることを決定することと
を行うようにさらに構成されている、項目１６に記載のシステム。
（項目１９）
前記制御回路は、
前記参加者の前記ランクの減少が第２の閾値を下回ることを決定することと、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定することと
を行うようにさらに構成されている、項目１６に記載のシステム。
（項目２０）
前記競技規則は、確率的規則を備え、
前記制御回路は、前記競技結果を適用し、前記参加者の前記ランクの変化の可能性を決
定することによって前記ランクを推定するようにさらに構成されている、項目１２に記載のシステム。
（項目２１）
前記制御回路は、
前記参加者の前記ランクの減少の可能性を決定することによって、前記可能性をさらに
決定することと、
前記スケジュールされた録画のリストを修正することに先立って、ユーザが前記スケジ
ュールされた録画のリストからの前記メディアアセットの組のその後のインスタンスの除
去を確認することを要求するプロンプトを表示のために生成することと
を行うようにさらに構成されている、項目１２に記載のシステム。
（項目２２）
システムであって、前記システムは、
メディアアセットの組の複数のインスタンスを録画するためにスケジュールするための
ユーザコマンドを受信する手段と、
前記メディアアセットの組についての詳細な情報を読み出す手段と、
前記メディアアセットの組のためのスケジュールされた録画のリストを生成する手段と
、
前記詳細な情報に基づいて、競技規則および前記競技規則の入力の組を決定する手段と
、
前記複数のインスタンスのうちの少なくとも１つのインスタンスについての結果情報を
読み出す手段と、
前記結果情報から競技結果を決定する手段と、
前記競技結果を前記競技規則の前記入力の組に適用し、前記少なくとも１つのインスタ
ンスの参加者のランクを推定する手段と、
前記推定ランクが閾値を超えるかどうかを決定する手段と、
前記推定ランクが前記閾値を超えるかどうかを決定することに基づいて、前記メディア
アセットの組のための前記スケジュールされた録画のリストを修正する手段と
を備えている、システム。
（項目２３）
前記メディアアセットの組は、１日以内に放送される、項目２２に記載のシステム。
（項目２４）
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加する手段と、
前記推定ランクが前記閾値を超えないことを決定することに基づいて、前記メディアア
セットの組の前記複数のインスタンスのうちのその後のインスタンスを除去する手段と
をさらに備えている、項目２２に記載のシステム。
（項目２５）
前記推定ランクが前記閾値を超えることを決定することに基づいて、前記メディアアセ
ットの組のその後のインスタンスを前記スケジュールされた録画のリストに追加する手段
をさらに備えている、項目２２に記載のシステム。
（項目２６）
前記競技規則は、決定論的規則を備え、
前記システムは、前記参加者の前記ランクの変化を決定する手段をさらに備えている、
項目２２に記載のシステム。
（項目２７）
前記参加者が第２の閾値を超える数の試合に負けたことを決定する手段と、
前記推定ランクが前記閾値を超えないことを決定する手段と
をさらに備えている、項目２６に記載のシステム。
（項目２８）
前記参加者が予期される試合の総数の少なくとも半分を超える数の試合に勝ったことを
決定する手段と、
前記推定ランクが前記閾値を超えることを決定する手段と
をさらに備えている、項目２６に記載のシステム。
（項目２９）
前記参加者の前記ランクの減少が第２の閾値を下回ることを決定する手段と、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定する手段と
をさらに備えている、項目２６に記載のシステム。
（項目３０）
前記競技規則は、確率的規則を備え、
前記システムは、前記参加者の前記ランクの変化の可能性を決定する手段をさらに備え
ている、項目２２に記載のシステム。
（項目３１）
前記参加者の前記ランクの減少の可能性を決定する手段と、
前記スケジュールされた録画のリストを修正することに先立って、ユーザが前記スケジ
ュールされた録画のリストからの前記メディアアセットの組のその後のインスタンスの除
去を確認することを要求するプロンプトを表示のために生成する手段と
さらに備えている、項目３０に記載のシステム。
（項目３２）
エンコードされた命令を有するメモリを備えている非一過性機械読み取り可能な媒体で
あって、前記命令は、
メディアアセットの組の複数のインスタンスを録画するためにスケジュールするための
ユーザコマンドを受信するための命令と、
前記メディアアセットの組についての詳細な情報を読み出すための命令と、
前記メディアアセットの組のためのスケジュールされた録画のリストを生成するための
命令と、
前記詳細な情報に基づいて、競技規則および前記競技規則の入力の組を決定するための
命令と、
前記複数のインスタンスのうちの少なくとも１つのインスタンスについての結果情報を
読み出すための命令と、
前記結果情報から競技結果を決定するための命令と、
前記競技結果を前記競技規則の前記入力の組に適用し、前記少なくとも１つのインスタ
ンスの参加者のランクを推定するための命令と、
前記推定ランクが閾値を超えるかどうかを決定するための命令と、
前記推定ランクが前記閾値を超えるかどうかを決定することに基づいて、前記メディア
アセットの組のための前記スケジュールされた録画のリストを修正するための命令と
を備えている、非一過性機械読み取り可能な媒体。
（項目３３）
前記メディアアセットの組は、１日以内に放送される、項目３２に記載の非一過性機械読み取り可能な媒体。
（項目３４）
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加するための命令と、
前記推定ランクが前記閾値を超えないことを決定することに基づいて、前記メディアア
セットの組の前記複数のインスタンスのうちのその後のインスタンスを除去するための命
令と
をさらに備えている、項目３２に記載の非一過性機械読み取り可能な媒体。
（項目３５）
前記推定ランクが前記閾値を超えることを決定することに基づいて、前記メディアアセ
ットの組のその後のインスタンスを前記スケジュールされた録画のリストに追加するため
の命令をさらに備えている、項目３２に記載の非一過性機械読み取り可能な媒体。
（項目３６）
前記競技規則は、決定論的規則を備え、
前記命令は、前記参加者の前記ランクの変化を決定するための命令をさらに備えている
、項目３２に記載の非一過性機械読み取り可能な媒体。
（項目３７）
前記参加者が第２の閾値を超える数の試合に負けたことを決定するための命令と、
前記推定ランクが前記閾値を超えないことを決定するための命令と
をさらに備えている、項目３６に記載の非一過性機械読み取り可能な媒体。
（項目３８）
前記参加者が予期される試合の総数の少なくとも半分を超える数の試合に勝ったことを
決定するための命令と、
前記推定ランクが前記閾値を超えることを決定するための命令と
をさらに備えている、項目３６に記載の非一過性機械読み取り可能な媒体。
（項目３９）
前記参加者の前記ランクの減少が第２の閾値を下回ることを決定するための命令と、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定するための命令と
をさらに備えている、項目３６に記載の非一過性機械読み取り可能な媒体。
（項目４０）
前記競技規則は、確率的規則を備え、
前記命令は、前記参加者の前記ランクの変化の可能性を決定するための命令をさらに備
えている、項目３２に記載の非一過性機械読み取り可能な媒体。
（項目４１）
前記参加者の前記ランクの減少の可能性を決定するため命令と、
前記スケジュールされた録画のリストを修正することに先立って、ユーザが前記スケジ
ュールされた録画のリストからの前記メディアアセットの組のその後のインスタンスの除
去を確認することを要求するプロンプトを表示のために生成するための命令と
をさらに備えている、項目４０に記載の非一過性機械読み取り可能な媒体。
（項目４２）
方法であって、前記方法は、
メディアアセットの組の複数のインスタンスを録画するためにスケジュールするための
ユーザコマンドを受信することと、
前記メディアアセットの組についての詳細な情報を読み出すことと、
前記メディアアセットの組のためのスケジュールされた録画のリストを生成することと
、
前記詳細な情報に基づいて、競技規則および前記競技規則の入力の組を決定することと
、
前記複数のインスタンスのうちの少なくとも１つのインスタンスについての結果情報を
読み出すことと、
前記結果情報から競技結果を決定することと、
前記競技結果を前記競技規則の前記入力の組に適用し、前記少なくとも１つのインスタ
ンスの参加者のランクを推定することと、
前記推定ランクが閾値を超えるかどうかを決定することと、
前記推定ランクが前記閾値を超えるかどうかを決定することに基づいて、前記メディア
アセットの組のための前記スケジュールされた録画のリストを修正することと
を含む、方法。
（項目４３）
前記メディアアセットの組は、１日以内に放送される、項目４２に記載の方法。
（項目４４）
前記メディアアセットの組の前記複数のインスタンスを録画するためにスケジュールす
るための前記ユーザコマンドを受信した後、かつ前記スケジュールされた録画のリストを
修正することに先立って、前記メディアアセットの組の前記複数のインスタンスのうちの
各インスタンスを前記スケジュールされた録画のリストに追加することをさらに含み、
前記スケジュールされた録画のリストを修正することは、前記推定ランクが前記閾値を
超えないことを決定することに基づいて、前記メディアアセットの組の前記複数のインス
タンスのうちのその後のインスタンスを除去することをさらに含む、項目４２または４３に記載の方法。
（項目４５）
前記スケジュールされた録画のリストを修正することは、前記推定ランクが前記閾値を
超えることを決定することに基づいて、前記メディアアセットの組のその後のインスタン
スを前記スケジュールされた録画のリストに追加することをさらに含む、項目４２−４４のいずれか１項に記載の方法。
（項目４６）
前記競技規則は、決定論的規則を備え、前記競技結果を適用し、前記ランクを推定する
ことは、前記参加者の前記ランクの変化を決定することをさらに含む、項目４２−４５のいずれか１項に記載の方法。
（項目４７）
前記参加者の前記ランクの変化を決定することは、前記参加者が第２の閾値を超える数
の試合に負けたことを決定することをさらに含み、
前記方法は、前記推定ランクが前記閾値を超えないことを決定することをさらに含む、
項目４６に記載の方法。
（項目４８）
前記参加者の前記ランクの変化を決定することは、前記参加者が予期される試合の総数
の少なくとも半分を超える数の試合に勝ったことを決定することをさらに含み、
前記方法は、前記推定ランクが前記閾値を超えることを決定することをさらに含む、項目４６に記載の方法。
（項目４９）
前記参加者の前記ランクの減少が第２の閾値を下回ることを決定することと、
前記参加者の前記ランクの前記減少が前記第２の閾値を下回ることを決定することに基
づいて、前記参加者が前記メディアアセットの組の前記複数のインスタンスのうちのその
後のインスタンスにおいて競争する資格があることを決定することと
をさらに含む、項目４６に記載の方法。
（項目５０）
前記競技規則は、確率的規則を備え、前記競技結果を適用し、前記ランクを推定するこ
とは、前記参加者の前記ランクの変化の可能性を決定することをさらに含む、項目４２−４９のいずれか１項に記載の方法。
（項目５１）
前記可能性を決定することは、前記参加者の前記ランクの減少の可能性を決定すること
をさらに含み、
前記方法は、前記スケジュールされた録画のリストを修正することに先立って、ユーザ
が前記スケジュールされた録画のリストからの前記メディアアセットの組のその後のイン
スタンスの除去を確認することを要求するプロンプトを表示のために生成することをさら
に含む、項目５０に記載の方法。